(57)【特許請求の範囲】
【請求項１】
フロント部を所定の角度に跳ね上がることが出来、また収納ケースに収容する際にはコンパクトに折畳むことが出来る跳ね上げ・折畳み式メガネにおいて、ワタリの両側に設けたヨロイ部の先端には継手を介してツルを折畳み出来るように取付け、ワタリ背面側中央には軸を取付けると共に該軸には中央連結部材を軸支し、該軸には中央連結部材が上昇してワタリに当接するようにバネ力を付勢したコイルバネを取付け、そして中央連結部材はワタリの下側を通過して正面側へアームを延ばし、該アームの先端に取付けた軸にはフロント部のブリッジを回動可能に取付けると共にアームとブリッジの脚との間に回動摩擦を得る為にコイルバネなどの弾性部材を軸に取付けたことを特徴とする跳ね上げ・折畳み式メガネ。
【請求項２】
上記ワタリ背面側には所定の距離をおいて突片を突出し、この突片間に軸を取付け、該軸に中央連結部材の２本の脚を軸支すると共に両脚間にコイルバネを取付けた請求項１記載の跳ね上げ・折畳み式メガネ。
【請求項３】
上記フロント部のブリッジをワタリの正面側中央に形成した空間に嵌めた請求項１、又は請求項２記載の跳ね上げ・折畳み式メガネ。
【発明の詳細な説明】
【技術分野】
【０００１】
本発明はフロント部がブリッジを中心として回転することで跳ね上げることが出来、また、折畳んでコンパクトに収納することが可能な跳ね上げ・折畳み式メガネに関するものである。
【背景技術】
【０００２】
近年、前掛け式メガネや跳ね上げ式メガネが多用されているが、前掛け式メガネとはフロント部の正面に別の前掛けフレームを着脱可能に取付けるように構成している。これに対して、跳ね上げ式メガネとは、跳ね上げフレームを着脱することなく、必要に応じて該跳ね上げフレームを上方へ跳ね上げることが出来る構造としている。
【０００３】
前掛け式メガネと跳ね上げ式メガネとは、その利便性に関して一長一短があり、各自が好みに応じて選択することが出来る。本発明では跳ね上げ式メガネを対象としているが、跳ね上げフレーム（フロント部）を跳ね上げる為の機構は色々存在している。しかし、基本構造は同じであり、フロント部側に設けた軸を介して上方へ回転出来ると共に、所定の角度に保持されて落下しない構造と成っている。
【０００４】
特開２００４−３３４０６７号に係る「着脱可能な跳ね上げ眼鏡枠」は、マグネットの磁力により簡単に操作出来る、着脱可能な前掛け式跳ね上げ多機能型眼鏡枠である。すなわち、前掛けフレームを着脱、跳ね上げ両機能をブリッジに集約するためにフレームを正面から見て逆Ｖ字形、更に跳ね上げ角度においても９０度〜１３０度のＶ字形にする事が大事で両ブリッジを重ね合わせた状態で相対的な位置にマグネットを装嵌して、マグネットの磁力を利用してフロントフレームブリッジと前掛けフレームブリッジを保持、安定させている。
【０００５】
実用新案登録第３１２１７３０号に係る「跳ね上げ式眼鏡枠」は、可動フレーム部が前面に跳ね上がるための機構部を、背面あるいは同軸上に設置し、全体のデザインを損なわないように組み入れるとともに、弾性力の発生部を眼鏡本体部と可動フレーム部の双方に複数分散させ、倍力作用を得て、従来の弾性力発生の小型化の限界を超えて小型化させたメガネである。
そこで、可動フレームに取り付けられたリムは、跳ね上げ軸、跳ね上げ軸を中心に回転が可能で、眼鏡本枠部から前面にリムが回り出ることができ、さらに弾性体の実施例の一つの形態であるスプリング、スプリングの作用で噛み合わせ部に厚接作用が生じ、どのような角度でも随時固定できるようにしている。
【０００６】
このように、従来の跳ね上げ式メガネはその跳ね上げ機構は色々知られているが、その構造は複雑で組立てが面倒である。従って、製作費が嵩むことでコストの高いメガネとなってしまう。
【特許文献１】特開２００４−３３４０６７号に係る「着脱可能な跳ね上げ眼鏡枠」
【特許文献２】実用新案登録第３１２１７３０号に係る「跳ね上げ式眼鏡枠」
【発明の開示】
【発明が解決しようとする課題】
【０００７】
このように従来の跳ね上げ式メガネには上記のごとき問題がある。本発明が解決しようとする課題はこの問題点であり、跳ね上げ機構を簡単に構成すると共に、フロント部の跳ね上げ動作だけでなく、折畳むことでケースにコンパクトに収納することが出来るように構成した跳ね上げ・折畳み式メガネを提供する。
【課題を解決するための手段】
【０００８】
本発明に係る跳ね上げ式メガネは、そのフロント部が軸を中心として回転して自由に跳ね上げられ、しかも跳ね上げ角度（跳ね上げ高さ）は自由に調整可能としている。そこで、跳ね上げ機構にはコイルバネなどの弾性材を使用し、該コイルバネの軸方向バネ力を付勢してフロント部が自由に跳ね上げられ、所定の位置で停止して保持される。すなわち、如何なる傾斜角度においても停止し、フロント部の跳ね上げ角度が調整される。
【０００９】
さらに、本発明ではこのフロント部を跳ね上げ方向とは逆方向に回転して折畳むことが出来る機構を備えている。すなわち、本発明のメガネは、そのフロント部が所定の角度に跳ね上がることが出来ると共に、コンパクトな収納ケースに収容することが出来るように、フロント部を折畳むことが出来るように構成している。
【００１０】
ところで、メガネのフロントフレームはワタリを有し、このワタリの両側にはヨロイを形成し、該ヨロイ先端には継手を介してツルが折畳み出来るように取付けられており、そしてワタリ中央部には中央連結部材が軸を介して取付けられ、しかも中央連結部材の軸にはコイルバネが取付けられて、上方へ回転するトルクが作用するようにバネ力を付勢している。
【００１１】
また、中央連結部材の正面側には互いに平行を成す別の軸を介してフロント部が取付けられる。しかも、フロント部を取付けている軸にはコイルバネなど弾性材が取付けられていて、フロント部を所定の角度に跳ね上げることが出来、圧縮されて取付けられた上記コイルバネが伸長するバネ力などによって落下することなく保持される。
一方、本発明では跳ね上げ用の軸、及び折畳み用の軸の何れか片方を備えてフロント部をワタリに装着することも可能であり、一方の機能を備えたメガネとして構成することもある。
【発明の効果】
【００１２】
本発明に係る跳ね上げ・折畳み式メガネは、そのフロント部を所定の角度に跳ね上げることが出来、しかもフロント部を折畳んでケースにコンパクトに収納することが出来る。フロント部を折畳むことが出来る軸にはコイルバネが取付けられている為に、ケースを開くと同時に折畳まれたフロント部は元の位置に戻される為に、折畳み機能を備えていない一般的なメガネと同じように顔に即座に掛けることが可能である。
【００１３】
そして、フロント部は所定の角度に跳ね上げることが出来、跳ね上げられたフロント部は軸に取付けているコイルバネのバネ力、又は弾性材の男性力によって落下することなく所定の角度に保持される。本発明では互いに平行な跳ね上げ用の軸と折畳み用の軸を備えており、この軸には一般にコイルバネを取付けているが、該コイルバネのバネ力を選択して跳ね上げ力及び折畳み力の調整が可能と成る。そして、本発明では、跳ね上げ用と折畳み用の２本の軸を備えていることで、何れか一方の機能を備えたメガネとして構成することが簡単に出来る。
【図面の簡単な説明】
【００１４】
【図１】本発明に跳ね上げ・折畳み式メガネで、平面図、正面図、及び側面図を表している。
【図２】ワタリ中央部の拡大図。
【図３】中央連結部材を示す具体例。
【図４】フロント部のブリッジを示す具体例。
【図５】ワタリ中央部を表す拡大図。
【発明を実施するための形態】
【００１５】
図１は本発明に係る跳ね上げ・折畳み式メガネを示している実施例である。同図の１はフロント部、２はワタリ、３はヨロイ部、４はツルを示しており、
フロント部１はワタリ２の中央部に取付けられている。ヨロイ部３，３はワタリ２の両側に連続して形成され、ツル４，４はヨロイ部３，３の先端に蝶番５，５を介して折畳み出来るように取付けられている。
【００１６】
ここで、同図に示すヨロイ部３，３はワタリ２の両側に連続して形成されているが、独立した部品としてヨロイを製作し、これをワタリ２の両端にロウ付けすることも出来る。上記フロント部１はブリッジ６の両側にリム７，７をロウ付けして構成し、リム７，７にはレンズが嵌っている。また、フロント部１の形態として、同図のようなフルリムを用いることなく、上側をハーフリムとして下側には水糸などの高張力糸を用いてレンズを保持するように構成することも出来る。又は、リムを持たない縁なしフロント部として構成してもよい。
【００１７】
そして、フロント部１はワタリ２の中央部に取付けられているが、直接でなく中央連結部材８を介してフロント部１のブリッジ６が取着されている。すなわち、ワタリ２の背面側に小さい突片１０ａ，１０ｂが突出し、この両突片１０ａ，１０ｂに軸を介して中央連結部材８が取付けられ、この中央連結部材８の正面側に別の軸を介してフロント部１のブリッジ６が取付けられている。
【００１８】
図２はワタリ２の中央部を表しているが、ワタリ２の背面１１に２つの突片１０ａ，１０ｂが所定の間隔をおいて突出し、両突片１０ａ，１０ｂの間には空間１２が形成され、この空間１２に上記中央連結部材８の脚が保持される軸が嵌って両突片１０ａ，１０ｂに取付けられる。また、ワタリ２の正面側にも空間１３が設けられ、フロント部１のブリッジ６は該空間１３に嵌ることが出来る。
【００１９】
図３は中央連結部材８を示す具体例であり、（ａ）は平面図、（ｂ）は側面図を表している。該中央連結部材８は基部側に２本の脚１４ａ，１４ｂを延ばし、正面側中央にはアーム１５を突出している。そして、両脚１４ａ，１４ｂには軸穴１６が貫通し、同じくアーム１５の先端にも軸穴１７が貫通しており、これら軸穴１６，１７に軸が挿通する。その上面側には凹部２３を形成している。
【００２０】
図４はフロント部１の中央に位置して両リム７，７を連結するブリッジ６を示す具体例である。該ブリッジ６は正面部１８の両端に脚１９ａ，１９ｂを背面側へ延ばし、脚１９ａ，１９ｂの先端部には軸穴２０，２０が貫通している。該軸穴２０，２０には中央連結部材８のアーム先端に設けた軸穴１７に挿通した軸が嵌り、該軸を中心としてブリッジ６は回動し、ブリッジ６の回動と共にフロント部１は跳ね上げられる。
【００２１】
図５はワタリ２とフロント部１の中央部を表し、（ａ）は断面図、（ｂ）は（ａ）のＡ−Ａ断面図をそれぞれ示している。ワタリ２の背面１１に突出した突片１０ａ，１０ｂに設けた軸穴には軸２１が嵌って取付けられ、この軸２１には中央連結部材８の脚１４ａ，１４ｂが軸支される。そして、両脚１４ａ，１４ｂの間にはコイルバネ２２が該軸２１に取付けられている。そして、このコイルバネ２２の一端はワタリ２に係止し、他端は中央連結部材８に係止していて、中央連結部材８には（ｂ）において時計方向に回転するバネ力を付勢している。すなわち、中央連結部材８の上面には凹部２３が形成され、この凹部２３にワタリ２が常に嵌ることが出来るバネ力が付勢される。
【００２２】
また、中央連結部材８の正面側へ突出するアーム１５には軸２４が取付けられ、この軸２４の両端はブリッジ６の両脚１９ａ，１９ｂに設けた軸穴２０，２０に嵌っている。すなわち、ブリッジ６は軸２４に取付けられ、軸２４を中心に回動することが出来、そしてアーム１５と脚１９ａ及びアーム１５と脚１９ｂとの間にはコイルバネ２５ａ，２５ｂが軸２４に取付けられている。
【００２３】
このコイルバネ２５ａ，２５ｂは圧縮された状態でアーム１５と脚１９ａ及びアーム１５と脚１９ｂの間に取付けられていることで、コイルバネ２５ａ，２５ｂが伸長するバネ力が脚１９ａ，１９ｂに付勢され、ブリッジ６を回動させる為の摩擦抵抗が発生する。従って、ブリッジ６の両側にリム７，７を備えたフロント部１は軸２４を中心として旋回して跳ね上げられるが、該コイルバネ２５ａ，２５ｂのバネ力によって、跳ね上げられたフロント部１は自重にて落下することはない。
【００２４】
すなわち、跳ね上げられたフロント部１が所定の角度にて停止することが出来るバネ力を発生するコイルバネ２５ａ，２５ｂが使用される。そこで、上記アーム１５と脚１９ａ及びアーム１５と脚１９ｂとの間にはコイルバネ２５ａ，２５ｂを圧縮した状態で介在する場合に限らず、弾性リング又は皿バネなどの弾性材を介在してもよい。
【００２５】
本発明のメガネはフロント部１を跳ね上げると共にケースに収容する場合にはフロント部１は折畳まれる。ところで、フロント部１が折畳まれる場合には軸２４を中心として旋回しないように、すなわち軸２１を中心として中央連結部材８と共に旋回することが出来るようにブリッジ６の底には当り片２６が延びて中央連結部材８の底に当接する。従って、該フロント部１は軸２１を中心として中央連結部材８と共に旋回して折畳まれる。
【００２６】
そして、本発明のメガネはケースの蓋を閉じると同時に、蓋によって押圧されることでフロント部１は折畳まれ、コンパクトな収納ケースに収容される。また、収納ケースの蓋を開くならば折畳まれているフロント部１はコイルバネ２２の捩れバネ力によって軸２１を中心として旋回して元の位置に復帰することが出来る。すなわち、フロント部１を手で戻すことなく、元の位置に自然に復帰する為に一般的なメガネの場合と同じように顔に掛けることが出来る。
【００２７】
ところで、実施例ではフロント部１を跳ね上げる機能と折畳む機能を備えたメガネに関して説明したが、何れか片方の機能を備えたメガネとして構成することが出来る。すなわち、折畳み機能だけを備える場合であれば、中央連結部材８の正面側にブリッジ６が回動することなく取着することが出来る。そして、折畳み機能を備えることなく跳ね上げ機能のみを備える場合であれば、ワタリ２の突片１０ａ，１０ｂに中央連結部材８が回動することなく取着される。
【符号の説明】
【００２８】
１  フロント部
２  ワタリ
３  ヨロイ部
４  ツル
５  蝶番
６  ブリッジ
７  リム
８  中央連結部材
10  突片
11  背面
12  空間
13  空間
14  脚
15  アーム
16  軸穴
17  軸穴
18  正面部
19  脚
20  軸穴
21  軸
22  コイルバネ
23  凹部
24  軸
25  コイルバネ
26  当り片
【図１】
0005450510.tif 000002
【図２】
0005450510.tif 000003
【図３】
0005450510.tif 000004
【図４】
0005450510.tif 000005
【図５】
0005450510.tif 000006